(57)【要約】【課題】  情報層に印刷された秘密情報が、情報層の上に設けられた隠蔽層の表面に陰影として浮かび上がらないようにし、スクラッチ前に秘密情報の漏れを防止することができるスクラッチ印刷物を得る。【解決手段】  基材１上に、基材１の表面に秘密情報を表示するインキ組成物で形成される情報層２と、前記情報層２を被覆する透明インキ組成物で形成されるコート層３と、前記コート層３を被覆して前記情報層２を隠蔽するスクラッチにより剥離可能な有色インキ組成物で形成される隠蔽層４とで構成されるスクラッチ印刷部５が設けられたスクラッチ印刷物であって、前記情報層２は、輪郭が秘密情報の形状に形成された印字部２ａと、前記印字部の周囲に間隔を空けずに形成された周囲部２ｂとからなり、前記印字部２ａと前記周囲部２ｂとは等しい厚さに形成されており、前記印字部２ａと前記周囲部２ｂとはそれぞれを視別可能なインキ組成物で形成されている【選択図】    図１
2018086764.tif 000002
【特許請求の範囲】
【請求項１】
基材上に、基材の表面に秘密情報を表示するインキ組成物で形成される情報層と、前記情報層を被覆する透明インキ組成物で形成されるコート層と、前記コート層を被覆して前記情報層を隠蔽するスクラッチにより剥離可能な有色インキ組成物で形成される隠蔽層とで構成されるスクラッチ印刷部が設けられたスクラッチ印刷物であって、
前記情報層は、輪郭が秘密情報の形状に形成された印字部と、前記印字部の周囲に間隔を空けずに形成された周囲部とからなり、前記印字部と前記周囲部とは等しい厚さに形成されており、前記印字部と前記周囲部とはそれぞれを視別可能なインキ組成物で形成されていることを特徴とするスクラッチ印刷物。
【請求項２】
前記情報層を構成している前記印字部及び前記周囲部のうち、いずれか一方が透明インキ組成物で形成されており、他方が基材と視別可能なインキ組成物で形成されていることを特徴とする請求項１に記載のスクラッチ印刷物。
【請求項３】
前記情報層を構成している前記印字部と前記周囲部は、少なくとも隣接部分において互いに反対色となるインキ組成物で形成されていることを特徴とする請求項１に記載のスクラッチ印刷物。
【発明の詳細な説明】
【技術分野】
【０００１】
本発明は、印刷された秘密情報を、爪やコイン等でスクラッチすることにより剥離可能な隠蔽層により被覆して秘密状態に置くスクラッチ印刷物に関する。
【背景技術】
【０００２】
従来、当たりくじ付きカードに印刷されたくじの結果や、応募抽選プロモーション中の商品のパッケージなどに印刷された応募ＩＤなどの秘密情報を隠蔽し、かつくじ購入者や抽選の応募資格者が秘密情報の内容を容易に確認することができる印刷物として、秘密情報の印刷部分を、爪やコイン等でスクラッチすることにより剥離可能な隠蔽層で被覆して秘密状態に置くスクラッチ印刷物が多く利用されている。
【０００３】
このようなスクラッチ印刷物としては、例えば、組み立て成形される箱の適宜箇所に、秘密情報を印刷した隠蔽用印刷層を設けると共に、該印刷層上に、シリコンを添加したニス層を設け、さらに該ニス層上にインキに隠蔽材を混入したインキ層を設けた隠蔽部を形成したものが知られている（特許文献１参照。）。
【先行技術文献】
【特許文献】
【０００４】
【特許文献１】実開昭和６２−８７０１４
【発明の概要】
【発明が解決しようとする課題】
【０００５】
しかしながら、特許文献１に記載されているようなスクラッチ印刷物は、図４に示すように、秘密情報を印刷した情報層２０の厚みがわずかながら基材２１との段差を生じ、この段差が情報層２０の上に設けられた隠蔽層２２の表面に凹凸として表れることになり、光の当たり具合によっては、隠蔽層２２の表面に現れる凹凸による陰影で秘密情報が浮かび上がってしまい、特にグラビア印刷の場合は版面の凹部にインキを溜めて紙に押し付けて転写させるため印刷表面に微妙な凹凸があり、スクラッチ印刷を単独に行った場合は、印刷部の縁部の微妙な段差が斜光等の光の当たり具合でぼんやりと視認できることがあり、スクラッチ前に秘密情報が漏れてしまうおそれがあるといった問題がある。
【０００６】
本発明の目的は、情報層に印刷された秘密情報が、情報層の上に設けられた隠蔽層の表面に陰影として浮かび上がらないようにし、スクラッチ前に秘密情報の漏れを防止することができるスクラッチ印刷物を提供することにある。
【課題を解決するための手段】
【０００７】
上記の目的を達成するために、請求項１に記載の発明は、基材上に、基材の表面に秘密情報を表示するインキ組成物で形成される情報層と、前記情報層を被覆する透明インキ組成物で形成されるコート層と、前記コート層を被覆して前記情報層を隠蔽するスクラッチにより剥離可能な有色インキ組成物で形成される隠蔽層とで構成されるスクラッチ印刷部が設けられたスクラッチ印刷物であって、前記情報層は、輪郭が秘密情報の形状に形成された印字部と、前記印字部の周囲に間隔を空けずに形成された周囲部とからなり、前記印字部と前記周囲部とは等しい厚さに形成されており、前記印字部と前記周囲部とはそれぞれを視別可能なインキ組成物で形成されていることを特徴とする。
【０００８】
請求項２に記載の発明は、請求項１に記載の、前記情報層を構成している前記印字部及び前記周囲部のうち、いずれか一方が透明インキ組成物で形成されており、他方が基材と視別可能なインキ組成物で形成されていることを特徴とする。
【０００９】
請求項３に記載の発明は、請求項１に記載の、前記情報層を構成している前記印字部と前記周囲部は、少なくとも隣接部分において互いに反対色となるインキ組成物で形成されていることを特徴とする。
【発明の効果】
【００１０】
請求項１に記載のスクラッチ印刷物によれば、基材の表面に秘密情報を表示する情報層は、輪郭が秘密情報の形状に印刷された印字部と、印字部の周囲に間隔を空けずに印刷された周囲部とからなり、また印字部と周囲部は等しい厚さに形成されているので、印字部の周囲に段差が生じず、隠蔽層に秘密情報が陰影として浮かび上がることを防ぐことができる。
また、印字部と周囲部は視別可能なインキ組成物で形成されているので、印字部と周囲部が同化して秘密情報が視認できないといった事態を防ぐことができる。
【００１１】
請求項２に記載のスクラッチ印刷物によれば、請求項１に記載の、前記情報層を構成している前記印字部及び前記周囲部のうち、いずれか一方が透明インキ組成物で形成されており、他方が基材と視別可能なインキ組成物で形成されているので、前記情報層における秘密情報を確実に読み取ることができる。
【００１２】
請求項３に記載のスクラッチ印刷物によれば、請求項１に記載の、前記情報層を構成している前記印字部と前記周囲部は、少なくとも隣接部分において互いに反対色となるインキ組成物で形成されているので、前記印字部と前記周囲部との境界が一層明瞭となり、前記印字部が小さく、また細かい場合であっても確実に読み取ることができる。
【図面の簡単な説明】
【００１３】
【図１】本発明に係るスクラッチ印刷物の実施の形態の１例を示す断面図である。
【図２】基材上に設けられた情報層を示す平面図である。
【図３】本発明に係るスクラッチ印刷物を紙容器に実施した例を示す斜視図である。
【図４】従来のスクラッチ印刷物の一例を示す断面図である。
【発明を実施するための形態】
【００１４】
以下、本発明に係るスクラッチ印刷物の実施の形態の一例を図１及び図２を参照して詳細に説明する。図１は本例のスクラッチ印刷物の断面図、図２は基材上に設けられた情報層を示す平面図である。
【００１５】
本例のスクラッチ印刷物は、図１に示すように、基材１上に、基材１の表面に秘密情報を表示するインキ組成物で形成される情報層２と、情報層２を被膜する透明インキ組成物で形成されるコート層３と、コート層３を被覆して情報層２を隠蔽するスクラッチにより剥離可能な有色インキ組成物で形成される隠蔽層４とで構成されるスクラッチ印刷部５が設けられている。
【００１６】
基材１にあっては、紙、樹脂、金属またはガラス等を主体とした容器、付箋またはその他の成形品が含まれる。
また、基材１の表面の性質がインキ組成物の接着性に劣る場合には、基材１の表面に印刷により情報層２を設ける前に、その表面にアンダーコート材を塗布するなどインキ組成物の接着性を高める下処理を施しておく。
【００１７】
基材１の表面に秘密情報を表示する情報層２にあっては、輪郭が秘密情報の形状に形成された印字部２ａと、印字部２ａの周囲に間隔を空けずに形成された周囲部２ｂとで構成されている。輪郭が秘密情報の形状に形成された印字部２ａにあって、秘密情報の形状とは、文字、図形、記号、或いはこれらの組み合わせ等の形状であり、秘密情報を確実に読み取ることができる形状であれば特に限定されない。本例での秘密情報の形状は、図２に示すように、「アタリ」の文字を変形させた形状となっている。
【００１８】
秘密情報の内容としては、当たりくじ付きカードに印刷されたくじの結果や、応募抽選プロモーション中の商品のパッケージなどに印刷された応募ＩＤなど、特に限定されない。
【００１９】
印字部２ａの周囲に間隔を空けずに形成された周囲部２ｂにあっては、印字部２ａと等しい厚さに形成されており、情報層２の表面には段差がない状態となっている。
また、周囲部２ｂの外周の輪郭は印字部２ａと異なる形状に形成されていることが好ましい。
【００２０】
印字部２ａと周囲部２ｂは、印字部２ａと周囲部２ｂとを視別することができるインキ組成物で形成されている。ここで、視別することができるとは、肉眼で両者を区別でき、秘密情報が読み取れる状態のことを示す。
視別することができるインキ組成物で形成された印字部２ａと周囲部２ｂの一例としては、それぞれが色相、明度または彩度などの色彩が異なるインキ組成物で形成されていることが挙げられる。
印字部２ａが小さい場合や細かい場合には、印字部２ａと周囲部２ｂを形成するインキ組成物の色相を反対色にすることが好ましい。このことにより印字部２ａと周囲部２ｂとの境界が一層明瞭となり、秘密情報の視認が容易となる。
また、印字部２ａと周囲部２ｂにおけるそれぞれのインキ組成物にあって、印字部２ａと周囲部２ｂとの全体の色彩が互いに異なっている必要はなく、少なくとも、印字部２ａと周囲部２ｂとの隣接部分で両者の色彩が異なっていればよい。
【００２１】
視別することができるインキ組成物で形成された印字部２ａと周囲部２ｂの他例としては、印字部２ａと周囲部２ｂは、いずれか一方が透明インキ組成物で形成されており、他方が基材１と視別可能なインキ組成物で形成されていることが挙げられる。
【００２２】
このように構成された情報層２は公知の印刷方法により形成される。公知の印刷方法とは、例えばオフセット印刷、グラビア印刷または孔版印刷などがある。また、情報層２を形成するインキ組成物にあっても、特に限定されず、公知のインキ組成物から適切なインキ組成物が選択される。
【００２３】
コート層３を形成する透明インキ組成物にあっては、情報層２を保護しつつ、隠蔽層４の剥離を容易にするものとして、公知のスクラッチ印刷において使用されている公知のインキ組成物が用いられる。例えば、シリコン樹脂、アクリル樹脂、エポキシ樹脂などから組成された透明インキ組成物が用いられる。
【００２４】
また、隠蔽層４を形成する有色インキ組成物にあっては、公知のスクラッチ印刷において使用されている公知のインキ組成物が用いられる。例えば、顔料、テレピン系溶剤、乾燥剤等よりなるインキにワックス、アルミニウム粉末等を混入した有色インキ組成物が用いられる。
【００２５】
このように構成されたスクラッチ印刷物によれば、基材１上に設けられたスクラッチ印刷部５における秘密情報を表示する情報層２は、輪郭が秘密情報の形状に印刷された印字部２ａと、印字部２ａの周囲に間隔を空けずに印刷された周囲部２ｂとからなり、また印字部２ａと周囲部２ｂは等しい厚さに形成されているので、印字部２ａの周囲に段差が生じず、情報層２の上に設けられている隠蔽層４に秘密情報が陰影として浮かび上がることはない。
【００２６】
また、印字部２ａの周囲に間隔を空けずに形成された周囲部２ｂにあっては、その外周の輪郭は印字部２ａの輪郭とは異なる形状に形成されているので、周囲部２ｂと基材１との間に段差が生じても秘密情報を読み取ることができるような陰影が生じることはない。
そして、情報層２を構成する印字部２ａと周囲部２ｂは、印字部２ａと周囲部２ｂとを視別することができるインキ組成物で形成されているので、印字部２ａと周囲部２ｂが同化して秘密情報が視認できないといった事態は生じない。
【００２７】
図３は本発明に係るスクラッチ印刷物を紙容器に実施した例を示したものである。本例では、ゲーブルトップ型の紙容器本体６がスクラッチ印刷物の基材１とし、その切妻屋根パネルの表面にスクラッチ印刷部５を設けている。
また、本発明の実施の形態は図３に示す紙容器に限られず、基材１は紙、樹脂、金属またはガラス等を主体とした容器、付箋またはその他の成形品であってもよく、スクラッチ印刷部５を設ける位置は、商品の購入者等が隠蔽層４をスクラッチして秘密情報を視認することができる位置であればよい。
【符号の説明】
【００２８】
１  基材
２  情報層
２ａ  印字層
２ｂ  周囲層
３  コート層
４  隠蔽層
５  スクラッチ印刷部
６  紙容器本体
【図１】
2018086764.tif 000003
【図２】
2018086764.tif 000004
【図３】
2018086764.tif 000005
【図４】
2018086764.tif 000006